(57)【特許請求の範囲】
【請求項１】
メインプレート及び摺動レールを備え、該メインプレートに複数の固定穴が間隔をおいて形成され、該摺動レールがメインプレートの上面に凸設され、その上面に上開口が形成されると共に、内側面に摺動溝が上開口及び固定穴と連通するように形成される、細長状のレール部材と、
前記摺動レールから突出するように、摺動可能にレール部材に取り付けられ、摺動座及び延出部を備え、該摺動座は、本体及び固定部を備え、該本体は、摺動可能にレール部材の摺動溝に取り付けられ、該固定部は、弾性を備えると共に、本体における摺動溝に挿設された両側の間に延設され、該固定部が、弾性により前記複数の固定穴のうちの１つに係合可能な状態で、摺動可能にレール部材の摺動溝に設置され、該延出部は、手工具を掛止するためのものであり、摺動座の上面に凸設される、少なくとも１つの位置決め部材、を有することを特徴とする、
摺動調整式手工具ホルダ。
【請求項２】
前記摺動座は、２つの結合凹部と、固定凸部を備え、前記本体は、Ｕ字形を呈し、摺動可能にレール部材の摺動溝に取り付けられ、前記固定部は、本体の中央部分に延設され、その底面はメインプレートに面し、該２つの結合凹部はそれぞれ、固定部の両側に位置するように本体に凹設され、該固定凸部は、固定部の底面に凸設されて、選択可能にメインプレートの複数の固定穴のうちの１つに係合されることを特徴とする請求項１に記載の摺動調整式手工具ホルダ。
【請求項３】
少なくとも１対の位置決め部材を有し、前記延出部は、本体の上面に凸設される挟持アームであり、自由端及び挟持フックを備え、該自由端は、上開口を通って摺動レールから突出し、該挟持フックは、自由端の内側面に延設され、また、前記少なくとも１対の位置決め部材における挟持フックが互いに対向するように設けられることを特徴とする請求項２に記載の摺動調整式手工具ホルダ。
【請求項４】
前記位置決め部材は、補強リブ及び押圧バーを備え、その内、補強リブは、本体の上面と延出部の外側面との間に設けられ、該押圧バーは、固定凸部と対応するように固定部の上面に凸設されることを特徴とする請求項３に記載の摺動調整式手工具ホルダ。
【請求項５】
さらに、レール延設部材を有し、該レール延設部材は、レール部材と平行するように連結板を介してレール部材に組み合わされ、また、該レール延設部材はメインプレートを備え、該メインプレートに複数の固定穴が間隔をおいて形成されることを特徴とする請求項２に記載の摺動調整式手工具ホルダ。
【請求項６】
前記延出部は、本体の上面に凸設される中空ブロックであり、２つの側壁と、少なくとも１つの工具穴と、工具溝と、スリットを備え、その内、２つの側壁は、間隔をおいて本体の上面に凸設され、該少なくとも１つの工具穴は、延出部の２つの側壁を貫通するように形成され、該工具溝は、延出部の２つの側壁を貫通すると共に、工具穴と連通するように形成され、該スリットは、工具溝と反対する側に位置しつつ延出部の２つの側壁を貫通すると共に、工具穴と連通するように形成されることを特徴とする請求項５に記載の摺動調整式手工具ホルダ。
【請求項７】
前記位置決め部材は、押圧バーを有し、該押圧バーは、固定凸部と対応するように固定部の上面に凸設されることを特徴とする請求項６に記載の摺動調整式手工具ホルダ。
【請求項８】
少なくとも１つの位置決め部材及びフレームを有し、そのうち、フレームは、レール部材に組み合わされ、第一支持台と、２つの支持フレームと、２つの挟持板と、第二支持台を備え、該第一支持台は、レール部材の一端に取り付けられ、取っ手として第一支持台を持ち上げることができ、該２つの支持フレームはそれぞれ、レール部材の両側に位置しつつ第一支持台に結合され、該挟持板は、２つの支持フレームの上面に取り付けられ、その上面に支持フレームに向かって延出する複数の挟持爪が設けられ、該第二支持台は、両側の支持フレームと連接するようにレール部材の他端に取り付けられ、また、該第二支持台の長さは第一支持台の長さよりも長く、該第一支持台と、第二支持台と、２つの支持フレームとにより台形のフレームが構成されることを特徴とする請求項２に記載の摺動調整式手工具ホルダ。
【請求項９】
前記各位置決め部材はさらに、押圧バーを有し、該押圧バーは、固定凸部と対応するように固定部の上面に凸設され、前記延出部は、固定凸部の上面に凸設される弾性アームであり、湾曲部及び制限部を備え、その内、該湾曲部は、摺動レールに突出する自由端を有し、摺動座の上面に湾曲状に凸設され、該制限部は、湾曲部の自由端に凸設されることを特徴とする請求項８に記載の摺動調整式手工具ホルダ。
【請求項１０】
前記レール部材は、封止レール及び延出板を有し、そのうち、該封止レールは、メインプレートの底面に凸設され、該延出板は、封止レールに設けられ、前記各位置決め部材はさらに、掛止フックを有し、該各位置決め部材における摺動座は矩形のプレートであり、摺動座の後側面に固定凸部が凸設され、該延出部は円管状を呈し、摺動座の前側面に凸設され、該掛止フックは、延出部に挿設されると共に、摺動レールから突出することを特徴とする請求項１に記載の摺動調整式手工具ホルダ。
【発明の詳細な説明】
【技術分野】
【０００１】
本発明は、特に摺動手段によって位置決め及び位置の調整が可能な手工具ホルダに関するものである。
【背景技術】
【０００２】
図１９に示すように、既存の手工具ホルダ８０は、レール部材８１及び少なくとも１つの位置決め座８２を有し、そのうち、レール部材８１は、細長状を呈する座体であり、その上面にレール８１１が設けられ、そのレール８１１に該位置決め座８２が摺動可能に取り付けられ、そのうち向い合う２つの位置決め座８２の間に挟持空間が形成され、更に、該各位置決め座８２は、摺動台８２１及び設置座８２２を備え、該摺動台８２１は、摺動可能にレール部材８１のレール８１１に取り付けられ、該設置座８２２は、摺動台８２１の上面に凸設される挟持アームである。
【先行技術文献】
【特許文献】
【０００３】
【特許文献１】台湾特許第Ｉ４６００６０号
【特許文献２】米国特許ＵＳ９，１２６，３２９
【発明の概要】
【発明が解決しようとする課題】
【０００４】
図２０に示すように、ペンチ９０や、ハイブリッドレンチ９１、モンキーレンチ９２、ソケットレンチ９３、六角レンチ９４、スクリュードライバ９５などのタイプが異なる手工具をそれぞれ、向い合う２つの位置決め座８２の間に挟持する場合、各位置決め座８２をレール部材８１に位置決めすることができないことから、手工具を挟持している時に、向い合う２つの位置決め座８２がそれぞれ外側へ離れるように押し出されてしまう。このため、２つの位置決め座８２との距離が広くなり、手工具を落下してしまう虞がある。このように、操作上の利便性が低下することから、改良する必要があった。
【課題を解決するための手段】
【０００５】
本発明の摺動調整式手工具ホルダは、メインプレート及び摺動レールを備え、該メインプレートに複数の固定穴が間隔をおいて形成され、該摺動レールがメインプレートの上面に凸設され、その上面に上開口が形成されると共に、内側面に摺動溝が上開口及び固定穴と連通するように形成される、細長状のレール部材と、前記摺動レールから突出するように、摺動可能にレール部材に取り付けられ、摺動座及び延出部を備え、該摺動座が、前記複数の固定穴のうちの１つに係合可能な状態で、摺動可能にレール部材の摺動溝に設置され、該延出部は、手工具を掛止するためのものであり、摺動座の上面に凸設される、少なくとも１つの位置決め部材、を有する。
【０００６】
かかる摺動調整式手工具ホルダにおいて、前記摺動座は、本体と、固定部と、２つの結合凹部と、固定凸部を備え、その内、本体は、Ｕ字形を呈し、摺動可能にレール部材の摺動溝に取り付けられ、該固定部は、弾性を備えると共に、本体の中央部分に延設され、その底面はメインプレートに面し、該２つの結合凹部はそれぞれ、固定部の両側に位置するように本体に凹設され、該固定凸部は、固定部の底面に凸設されて、選択可能にメインプレートの複数の固定穴のうちの１つに係合されることが好ましい。
【０００７】
かかる摺動調整式手工具ホルダにおいて、少なくとも１対の位置決め部材を有し、前記延出部は、本体の上面に凸設される挟持アームであり、自由端及び挟持フックを備え、該自由端は、上開口を通って摺動レールから突出し、該挟持フックは、自由端の内側面に延設され、また、前記少なくとも１対の位置決め部材における挟持フックが互いに対向するように設けられることが好ましい。
【０００８】
かかる摺動調整式手工具ホルダにおいて、前記位置決め部材は、補強リブ及び押圧バーを備え、その内、補強リブは、本体の上面と延出部の外側面との間に設けられ、該押圧バーは、固定凸部と対応するように固定部の上面に凸設されることが好ましい。
【０００９】
かかる摺動調整式手工具ホルダにおいて、さらに、レール延設部材を有し、該レール延設部材は、レール部材と平行するように連結板を介してレール部材に組み合わされ、また、該レール延設部材はメインプレートを備え、該メインプレートに複数の固定穴が間隔をおいて形成されることが好ましい。
【００１０】
かかる摺動調整式手工具ホルダにおいて、前記延出部は、本体の上面に凸設される中空ブロックであり、２つの側壁と、少なくとも１つの工具穴と、工具溝と、スリットを備え、その内、２つの側壁は、間隔をおいて本体の上面に凸設され、該少なくとも１つの工具穴は、延出部の２つの側壁を貫通するように形成され、該工具溝は、延出部の２つの側壁を貫通すると共に、工具穴と連通するように形成され、該スリットは、工具溝と反対する側に位置しつつ延出部の２つの側壁を貫通すると共に、工具穴と連通するように形成されることが好ましい。
【００１１】
かかる摺動調整式手工具ホルダにおいて、前記位置決め部材は、押圧バーを有し、該押圧バーは、固定凸部と対応するように固定部の上面に凸設されることが好ましい。
【００１２】
かかる摺動調整式手工具ホルダにおいて、少なくとも１つの位置決め部材及びフレームを有し、そのうち、フレームは、レール部材に組み合わされ、第一支持台と、２つの支持フレームと、２つの挟持板と、第二支持台を備え、該第一支持台は、レール部材の一端に取り付けられ、取っ手として第一支持台を持ち上げることができ、該２つの支持フレームはそれぞれ、レール部材の両側に位置しつつ第一支持台に結合され、該挟持板は、２つの支持フレームの上面に取り付けられ、その上面に支持フレームに向かって延出する複数の挟持爪が設けられ、該第二支持台は、両側の支持フレームと連接するようにレール部材の他端に取り付けられ、また、該第二支持台の長さは第一支持台の長さよりも長く、該第一支持台と、第二支持台と、２つの支持フレームとにより台形のフレームが構成されることが好ましい。
【００１３】
かかる摺動調整式手工具ホルダにおいて、前記各位置決め部材はさらに、押圧バーを有し、該押圧バーは、固定凸部と対応するように固定部の上面に凸設され、前記延出部は、固定凸部の上面に凸設される弾性アームであり、湾曲部及び制限部を備え、その内、該湾曲部は、摺動レールに突出する自由端を有し、摺動座の上面に湾曲状に凸設され、該制限部は、湾曲部の自由端に凸設されることが好ましい。
【００１４】
かかる摺動調整式手工具ホルダにおいて、前記レール延設部材は、封止レール及び延出板を有し、そのうち、該封止レールは、メインプレートの底面に凸設され、該延出板は、封止レールに設けられ、前記各位置決めプレートはさらに、挟持フックを有し、該各位置決めプレートにおける摺動座は矩形のプレートであり、摺動座の後側面に固定凸部が凸設され、該延出部は円管状を呈し、摺動座の前側面に凸設され、該掛止フックは、延出部に挿設されると共に、摺動レールから突出することが好ましい。
【発明の効果】
【００１５】
上述したように、本発明に係る摺動調整式手工具ホルダは、以下に示すようなメリットを有する。
１．本発明の摺動調整式手工具ホルダを使用する時は、位置決め部材を固定穴に係合させて、位置決め部材をレール部材に位置決めすることにより、タイプの異なる手工具を掛止させて収納することができる。また、その位置決め部材がレール部材１０に掛止されると、レール部材１０に対してずれることがないことから、位置決め部材をレール部材１０及びレール延設部材に位置決め固定することができる。
【００１６】
２．本発明の摺動調整式手工具ホルダにおける延出部２２、２２Ａ、２２Ｂ、２２Ｄ、２２Ｅの構造はそれぞれ異なっていてもよく、例えば、挟持アームや中空ブロック、弾性アームなどの構造としてもよい。これにより、ペンチ７０、ハイブリッドレンチ７１、モンキーレンチ７２、ソケットレンチ７３、六角レンチ７４、スクリュードライバ７５など手工具を収納することができ、さらに、フレーム５０を設置すれば、手工具のタイプや寸法などが異なっても収納することができるので、実用性に優れている。
【図面の簡単な説明】
【００１７】
【図１】本発明に係る第一実施例の斜視図である。
【図２】本発明に係る第一実施例の部分拡大分解斜視図である。
【図３】本発明に係る第一実施例の部分拡大断面図である。
【図４】本発明に係る第一実施例の操作状態を示す説明図である。
【図５】本発明に係る第二実施例の部分拡大斜視図である。
【図６】本発明に係る第二実施例の操作状態を示す部分拡大断面図である。
【図７】本発明に係る第三実施例の斜視図である。
【図８】本発明に係る第三実施例の部分拡大分解斜視図である。
【図９】本発明に係る第三実施例の操作状態を示す説明図である。
【図１０】本発明に係る第四実施例の部分拡大分解斜視図である。
【図１１】本発明に係る第四施例の操作状態を示す部分拡大断面図である。
【図１２】本発明に係る第五実施例の斜視図である。
【図１３】本発明に係る第五実施例の部分拡大分解斜視図である。
【図１４】本発明に係る第五実施例の操作状態を示す説明図である。
【図１５】本発明に係る第五実施例の操作状態を示す部分拡大断面図である。
【図１６】本発明に係る第六実施例の斜視図である。
【図１７】本発明に係る第六実施例の部分拡大分解斜視図である。
【図１８】本発明に係る第六実施例の操作状態を示す説明図である。
【図１９】既存の手工具ホルダの部分拡大分解斜視図である。
【図２０】既存の手工具ホルダの操作状態を示す説明図である。
【発明を実施するための形態】
【００１８】
図１乃至図３に示すように、本発明に係る摺動調整式手工具ホルダの第一実施例は、レール部材１０及び少なくとも１対の位置決め部材２０を有する。
【００１９】
前記レール部材１０は、アルミ押出型材からなり、細長型を呈し、メインプレート１１と、摺動レール１２と、封止レール１３を備える。
そのうち、メインプレート１１の前端と後端の間に、複数の固定穴１１１が間隔をおいて形成される。該摺動レール１２は、メインプレート１１の上面に凸設され、その上面に上開口１２１が形成されると共に、その内側面に摺動溝１２２が上開口１２１及び固定穴１１１と連通するように形成される。該封止レール１３は、メインプレート１１の底面に凸設され、その底部に下開口１３１が形成される。尚、前記封止レール１３、摺動レール１２、メインプレート１１は、一体に成形されることが好ましい。
【００２０】
前記位置決め部材２０は、摺動可能にレール部材１０に取り付けられ、摺動座２１と、延出部２２と、補強リブ２３を備える。
そのうち、摺動座２１は、摺動可能にレール部材１０の摺動溝１２２に取り付けられ、且つ複数の固定穴１１１のうちの１つに係合され、本体２１１と、固定部２１２と、２つの結合凹部２１３と、固定凸部２１４を備える。その内、本体２１１は、Ｕ字形を呈し、摺動可能にレール部材１０の摺動溝１２２に取り付けられ、該固定部２１２は弾性を備え、本体２１１の中央部分に横方向に延設され、その底面はメインプレート１１に面する。
【００２１】
前記２つの結合凹部２１３はそれぞれ、固定部２１２の両側に位置するように本体２１１に凹設される。この構造によれば、固定部２１２が弾性変形可能となる。また、前記固定凸部２１４は、固定部２１２の底面に凸設され、且つ選択可能にメインプレート１１の複数の固定穴１１１のうちの１つに係合される。この構造によれば、摺動座２１をレール部材１０に位置決めすることができる。尚、その固定凸部２１４は半円球状の凸部であることが好ましい。
【００２２】
前記延出部２２は、本体２１１の上面に凸設される挟持アームであり、自由端及び挟持フック２２１を備え、該自由端は、上開口１２１を通って摺動レール１２から突出し、該挟持フック２２１は、自由端の内側面に延設され、該各対の位置決め部材２０における挟持フック２２１は互いに対向するように設けられる。
また、前記補強リブ２３は、本体２１１の上面と延出部２２の外側面との間に設けられ、摺動座２１と延出部２２との構造を補強するものである。
【００２３】
図４に示すように、本発明に係る摺動調整式手工具ホルダの第一実施例を実施する時は、そのペンチ７０、ハイブリッドレンチ７１、モンキーレンチ７２、ソケットレンチ７３、六角レンチ７４、スクリュードライバ７５などのタイプの異なる手工具を、向い合う２つの位置決め部材２０の間に嵌め込み、２つの挟持フック２２１を介して手工具を脱落しないように保持でき、向い合う２つの位置決め部材２０の間の挟持空間は、摺動座２１を摺動させて適当な固定穴１１１と係合させることにより調整することができる。
このように、各位置決め部材２０がしっかりとレール部材１０に位置決められると、タイプの異なる手工具をしっかりと保持できるので、実用性に優れている。
【００２４】
図５及び図６に示す本発明に係る摺動調整式手工具ホルダの第二実施例は、図１乃至図３の第一実施例と異なる点を有する。以下、その説明を行う。
本発明の摺動調整式手工具ホルダの第二実施例における位置決め部材２０Ａは、押圧バー２４Ａを有し、該押圧バー２４Ａは、Ｌ字形を呈し、固定凸部２１４Ａと対応するように固定部２１２Ａの上面に凸設される。
図６に示すように、本発明の摺動調整式手工具ホルダの第二実施例を実施する時は、位置決め部材２０Ａの押圧バー２４Ａを延出部２２Ａと接近するように押圧し、固定部２１２Ａを上方へ移動させて固定凸部２１４Ａを固定穴１１１から離脱させれば、位置決め部材２０Ａをレール部材１０に対して摺動させて調整することができる。
【００２５】
図７及び図８に示す本発明に係る摺動調整式手工具ホルダの第三実施例は、図１乃至図３の第一実施例と異なる点を有する。以下、その説明を行う。
本発明に係る摺動調整式手工具ホルダの第三実施例は、少なくとも１つの位置決め部材２０Ｂを有すると共に、さらにレール延設部材１０Ｂを有する。
前記レール延設部材１０Ｂは、レール部材１０と殆ど同一であり、レール部材１０と平行するように連結板１５Ｂを介してレール部材１０に組み合わされ、また、メインプレート１１Ｂを備え、該メインプレート１１Ｂの前端と後端の間に、複数の固定穴１１１Ｂが間隔をおいて形成される。
前記各位置決め部材２０Ｂは、レール部材１０またはレール延設部材１０Ｂに取り付けられ、摺動座２１Ｂ及び延出部２２Ｂを備える。該摺動座２１Ｂは、摺動可能にレール部材１０またはレール延設部材１０Ｂに設置され、該延出部２２Ｂは、本体２１１Ｂの上面に凸設される中空ブロックであり、２つの側壁と、少なくとも１つの工具穴２２３Ｂと、工具溝２２４Ｂと、スリット２２５Ｂを備える。その内、２つの側壁は、間隔をおいて本体２１１Ｂの上面に凸設され、該少なくとも１つの工具穴２２３Ｂは、延出部２２Ｂの２つの側壁を貫通するように形成され、図９に示すように、スクリュードライバ７５の軸７５１を挟持することができる。
該工具溝２２４Ｂは、延出部２２Ｂの２つの側壁を貫通すると共に、工具穴２２３Ｂと連通するように形成され、該スリット２２５Ｂは、工具溝２２４Ｂと反対する側に位置しながら延出部２２Ｂの２つの側壁を貫通すると共に、工具穴２２３Ｂと連通するように形成される。
【００２６】
図９に示すように、本発明に係る摺動調整式手工具ホルダの第三実施例を実施する時は、スクリュードライバ７５の軸７５１をレール部材１０及びレール延設部材１０Ｂに設置された位置決めプレート２０Ｂに嵌め込む。
この時、レール部材１０及びレール延設部材１０Ｂにおける２つの位置決めプレート２０Ｂは互いに対応していることから、スクリュードライバ７５の軸７５１を位置決めプレート２０Ｂのスリット２２５Ｂを介して工具穴２２３Ｂに嵌め込むことができる。さらに、該各位置決めプレート２０Ｂが固定凸部２１４Ｂによってレール部材１０またはレール延設部材１０Ｂに位置決められることから、スクリュードライバ７５などの手工具を位置決め収納できるので、実用性に優れている。
【００２７】
図１０に示す本発明に係る摺動調整式手工具ホルダの第四実施例は、図７乃至図８の第三実施例と異なる点を有する。以下、その説明を行う。
位置決め部材２０Ｃは、押圧バー２４Ｃを有し、該押圧バー２４Ｃは、Ｌ字形を呈し、固定凸部２１４Ｃと対応するように固定部２１２Ｃの上面に凸設される。
【００２８】
図１０及び図１１に示すように、本発明に係る摺動調整式手工具ホルダの第四実施例においては、位置決め部材２０Ｃの押圧バー２４Ｃを延出部２２Ｃに接近させるように押圧し、固定部２１２Ｃを上方へ移動させて固定凸部２１４Ｃを固定穴１１１、１１１Ｃから離脱させれば、位置決め部材２０Ｃがレール部材１０またはレール延設部材１０Ｃに対して摺動して調整することができる。
【００２９】
図１２及び図１３に示す本発明に係る摺動調整式手工具ホルダの第五実施例は、図１乃至図３の第一実施例と異なる点を有する。以下、その説明を行う。
本発明に係る摺動調整式手工具ホルダの第五実施例は、少なくとも１つの位置決め部材２０Ｄを有すると共に、さらにフレーム５０を有する。
該フレーム５０は、レール部材１０に組み合わされ、該フレーム５０は、第一支持台５１と、２つの支持フレーム５２と、２つの挟持板５３と、第二支持台５４を備える。
【００３０】
前記第一支持台５１は、レール部材１０の一端に取り付けられ、取っ手として第一支持台５１を持ち上げることができる。該２つの支持フレーム５２はそれぞれ、レール部材１０の両側に位置しながら第一支持台５１に結合され、該挟持板５３は、２つの支持フレーム５２の上面に取り付けられ、該挟持板５３の上面に支持フレーム５２に向かって延出する複数の挟持爪５３１が設けられ、該第二支持台５４は、両側の支持フレーム５２と連接するようにレール部材１０の他端に取り付けられる。また、その第二支持台５４の長さは第一支持台５１の長さよりも長く、第一支持台５１と、第二支持台５４と、２つの支持フレーム５２とにより台形のフレーム５０が構成される。
【００３１】
前記各位置決め部材２０Ｄは、押圧バー２４Ｄを有し、該延出部２２Ｄは、固定凸部２１４Ｄの上面に凸設される弾性アームであり、湾曲部２２６Ｄ及び制限部２２７Ｄを備える。その内、該湾曲部２２６Ｄは、摺動レール１２に突出する自由端を有し、摺動座２１Ｄの上面に湾曲状に凸設される。該制限部２２７Ｄは、湾曲部２２６Ｄの自由端に凸設される。
この構成によれば、図１４に示すように、ハイブリッドレンチ７１を掛止して収納することができ、また、該押圧バー２４Ｄは、Ｌ字形を呈し、固定凸部２１４Ｄと対応するように固定部２１２Ｄの上面に凸設される。
【００３２】
図１４に示すように、本発明の摺動調整式手工具ホルダの第五実施例を実施する時は、寸法が異なるハイブリッドレンチ７１をそれぞれ２つの挟持板５３の挟持爪５３１に嵌め込むだけでよく、また、前記各位置決め部材２０Ｄの延出部２２Ｄの位置は、固定凸部２１４Ｄが固定穴１１１から離脱している状態において調整することができる。
また、各位置決め部材２０Ｄをレール部材１０に対して摺動させて調整することによって、制限部２２７Ｄがハイブリッドレンチ７１に当接する。さらに、各延出部２２Ｄの湾曲部２２６Ｄは弾性を備えることから、延出部２２Ｄがハイブリッドレンチ７１にしっかりと当接することができる。そのため、ハイブリッドレンチ７１の寸法が異なっても、レール部材１０とフレーム５０との間に収納することができ、実用性に優れている。
【００３３】
図１５に示すように、本発明の摺動調整式手工具ホルダの第五実施例を実施する時は、位置決め部材２０Ｄの押圧バー２４Ｄを延出部２２Ｄに接近するように押圧し、固定部２１２Ｄを上方へ移動させれば、固定凸部２１４Ｄが固定穴１１１から離脱するので、位置決め部材２０Ｄをレール部材１０に対して摺動させて調整することができる。
【００３４】
図１６及び図１７に示す本発明に係る摺動調整式手工具ホルダの第六実施例は、図１乃至図３の第一実施例と異なる点を有する。以下、その説明を行う。
そのレール部材１０Ｅはさらに、延出板１４Ｅを有し、該延出板１４Ｅは封止レール１３に設けられ、その両端近傍に２つの貫通穴１４１Ｅが形成される。各位置決め部材２０Ｅは、摺動可能にレール部材１０Ｅに取り付けられると共に、摺動座２１Ｅと、延出部２２Ｅと、補強リブ２３Ｅを備える。その内、摺動座２１Ｅは矩形のプレートであり、摺動可能にレール部材１０Ｅの摺動レール１２Ｅに設置され、該固定凸部２１４Ｅは、摺動座２１Ｅの後側面に凸設され、該延出部２２Ｅは、円管状を呈し、摺動座２１Ｅの前側面に凸設され、該掛止フック２５Ｅは、Ｌ字形を呈し、摺動レール１２Ｅから突出するように延出部２２Ｅに挿設される。
【００３５】
図１８に示すように、本発明に係る摺動調整式手工具ホルダの第六実施例を使用する時は、寸法が異なるハイブリッドレンチ７１を位置決めプレート２０Ｅの掛止フック２５Ｅに掛止し、各掛止フック２５Ｅがレール部材１０Ｅに対して摺動して位置決めすることができることから、ハイブリッドレンチ７１を掛止して所望の位置に位置決めすることができる。
【００３６】
上述した構造によれば、本発明の摺動調整式手工具ホルダは、位置決め部材２０、２０Ａ、２０Ｂ、２０Ｃ、２０Ｄ、２０Ｅをレール部材１０及びレール延設部材１０Ｂの固定穴１１１、１１１Ｂ、１１１Ｃ、１１１Ｅに係合し、位置決め部材２０、２０Ａ、２０Ｂ、２０Ｃ、２０Ｄ、２０Ｅをレール部材１０及びレール延設部材１０Ｂに位置決めすることにより、タイプが異なる手工具を掛止して収納する。
また、本発明の摺動調整式手工具ホルダでは、その位置決め部材２０、２０Ａ、２０Ｂ、２０Ｃ、２０Ｄ、２０Ｅがレール部材１０またはレール延設部材１０Ｅに係合されれば、レール部材１０またはレール延設部材１０Ｅに対してずれることはないので、位置決め部材２０、２０Ａ、２０Ｂ、２０Ｃ、２０Ｄ、２０Ｅをレール部材１０及びレール延設部材１０Ｅにしっかりと位置決め固定することができる。
【００３７】
一方、前記延出部２２、２２Ａ、２２Ｂ、２２Ｄ、２２Ｅの構造は、それぞれ異なってもよく、例えば、挟持アームや中空ブロック、弾性アームなどの構造としてもよい。
更に、本発明の摺動調整式手工具ホルダは、ペンチ７０、ハイブリッドレンチ７１、モンキーレンチ７２、ソケットレンチ７３、六角レンチ７４、スクリュードライバ７５など手工具を収納できるだけでなく、フレーム５０を設置することにより、タイプや寸法が異なる手工具も収納することができる。また、前記掛止フック２５Ｅを用いれば、ハイブリッドレンチ７１の寸法が異なっても収納することができるので、手工具ホルダの実用性を大幅に向上させることができる。
【符号の説明】
【００３８】
１０、１０Ｂ、１０Ｅ  レール部材
１０Ｂ  レール延設部材
１１、１１Ｂ  メインプレート
１１１、１１１Ｂ、１１１Ｃ、１１１Ｅ  固定穴
１２、１２Ｅ  摺動レール
１２１  上開口
１２２  摺動溝
１３  封止レール
１３１  下開口
１４Ｅ  延出板
１４１Ｅ  貫通穴
１５Ｂ  連結板
２０、２０Ａ、２０Ｂ、２０Ｃ、２０Ｄ、２０Ｅ  位置決め部材
２１、２１Ｂ、２１Ｅ  摺動座
２１１、２１１Ｂ  本体
２１２、２１２Ａ、２１２Ｃ、２１２Ｄ  固定部
２１３  結合凹部
２１４、２１４Ａ、２１４Ｃ、２１４Ｄ、２１４Ｅ  固定凸部
２２、２２Ａ、２２Ｂ、２２Ｄ、２２Ｅ  延出部
２２１  挟持フック
２２６Ｄ  湾曲部
２２７Ｄ  制限部
２３、２３Ｅ  補強リブ
２２３Ｂ  工具穴
２２４Ｂ  工具溝
２２５Ｂ  スリット
２４Ａ、２４Ｃ、２４Ｄ  押圧バー
２５Ｅ  掛止フック
５０  フレーム
５１  第一支持台
５２  支持フレーム
５３  挟持板
５３１  挟持爪
５４  第二支持台
７０  ペンチ
７１  ハイブリッドレンチ
７２  モンキーレンチ
７３  ソケットレンチ
７４  六角レンチ
７５  スクリュードライバ
７５１  軸
【図１】
0006279010.tif 000002
【図２】
0006279010.tif 000003
【図３】
0006279010.tif 000004
【図４】
0006279010.tif 000005
【図５】
0006279010.tif 000006
【図６】
0006279010.tif 000007
【図７】
0006279010.tif 000008
【図８】
0006279010.tif 000009
【図９】
0006279010.tif 000010
【図１０】
0006279010.tif 000011
【図１１】
0006279010.tif 000012
【図１２】
0006279010.tif 000013
【図１３】
0006279010.tif 000014
【図１４】
0006279010.tif 000015
【図１５】
0006279010.tif 000016
【図１６】
0006279010.tif 000017
【図１７】
0006279010.tif 000018
【図１８】
0006279010.tif 000019
【図１９】
0006279010.tif 000020
【図２０】
0006279010.tif 000021